(57)【特許請求の範囲】
【請求項１】
車両前部の左右一対のサイドフレーム間に、巻線切替を行うことが可能なモータを含むモータユニットと該モータユニットのモータの駆動力を前輪へ伝達するための動力伝達機構を含むトランスアクスルとが車幅方向に並ぶように結合されてなるパワーユニットが配設され、該パワーユニットが少なくとも上記両サイドフレームにマウント支持される電動車両において、上記パワーユニットのモータユニット側を、上記両サイドフレームのうち上記モータユニットに近い側であるモータ近接サイドフレームにマウント支持するためのパワーユニット支持装置であって、
上記モータユニットにおける上記モータ近接サイドフレーム側の端部に、上記モータのモータ軸を支持する軸受を内蔵する軸受ハウジングが結合され、
上記軸受ハウジングにおける上記モータ近接サイドフレーム側の端部に、上記モータの巻線切替を行うモータ巻線切替ユニットが結合されており、
上記パワーユニット支持装置は、上記軸受ハウジングの上部を上記モータ近接サイドフレームにマウント支持するように構成されていることを特徴とする電動車両のパワーユニット支持装置。
【請求項２】
請求項１記載の電動車両のパワーユニット支持装置において、
上記パワーユニット支持装置は、上記軸受ハウジングの上部と上記モータ巻線切替ユニットにおける上記モータ近接サイドフレーム側の端部とに跨いで連結された支持部材を介して、該軸受ハウジングの上部を該モータ近接サイドフレームにマウント支持するように構成されていることを特徴とする電動車両のパワーユニット支持装置。
【請求項３】
請求項２記載の電動車両のパワーユニット支持装置において、
上記モータ近接サイドフレームに連結された車体側マウントブラケットと、
上記パワーユニットに連結されたパワーユニット側マウントブラケットと、
上記両ブラケット間に配設されたマウント本体とを備え、
上記パワーユニット側マウントブラケットは、上記マウント本体に連結された第１ブラケットと、上記モータ巻線切替ユニットの上側に配設され、上記第１ブラケットと上記軸受ハウジングの上部とを連結する、上記支持部材としての第２ブラケットとを有し、
上記第２ブラケットは、上記モータ巻線切替ユニットにおける上記モータ近接サイドフレーム側の端面壁に連結されていることを特徴とする電動車両のパワーユニット支持装置。
【請求項４】
請求項３記載の電動車両のパワーユニット支持装置において、
上記車体側マウントブラケットは、上記マウント本体に連結される第３ブラケットと、該第３ブラケット及び上記モータ近接サイドフレームに連結される第４ブラケットとを有し、
上記第４ブラケットは、上記モータ近接サイドフレームの上面及び下面に跨いで連結されていることを特徴とする電動車両のパワーユニット支持装置。
【請求項５】
請求項１〜４のいずれか１つに記載の電動車両のパワーユニット支持装置において、
上記前輪に連結される、上記トランスアクスルの出力軸が、上記パワーユニットの車両後側において車幅方向に延びるように設けられており、
上記軸受ハウジングの車両後側部分に、上記出力軸を回転自在に支持する出力軸支持部が設けられていることを特徴とする電動車両のパワーユニット支持装置。
【発明の詳細な説明】
【技術分野】
【０００１】
本発明は、電動車両において、モータユニットとトランスアクスルとが車幅方向に並ぶように結合されてなるパワーユニットのモータユニット側を、左右一対のサイドフレームのうち上記モータユニットに近い側であるモータ近接サイドフレームにマウント支持するためのパワーユニット支持装置に関する技術分野に属する。
【背景技術】
【０００２】
従来より、電気自動車等の電動車両において、車両前部にパワーユニットを配設して、このパワーユニットにより前輪を駆動するようにすることが知られている。パワーユニットは、通常、モータを含むモータユニットと、該モータユニットのモータの駆動力を前輪へ伝達するための動力伝達機構（減速機構及び差動機構）を含むトランスアクスルとを有していて、車両前部の左右一対のサイドフレーム間に配設される。
【０００３】
上記のようなパワーユニットは、通常、モータユニットとトランスアクスルとが車幅方向に並ぶように一体に結合されてなり、パワーユニットのモータユニット側とトランスアクスル側とがそれぞれ上記両サイドフレームにマウント支持される（例えば、特許文献１参照）。そして、特許文献１では、モータの端面を利用して、パワーユニットのモータユニット側を、上記両サイドフレームのうちモータに近い側のサイドフレームにマウント支持するようにしている。
【先行技術文献】
【特許文献】
【０００４】
【特許文献１】特開平５−３１９１０３号公報
【発明の概要】
【発明が解決しようとする課題】
【０００５】
ところで、上記モータユニットのモータが、巻線切替を行うことが可能なものである場合、このモータの巻線切替を行う回路が必要になる。このような巻線切替を行う回路を、モータを駆動するための主バッテリの直流電力を交流電力に変換して該モータに電力を供給するインバータに設けると、インバータとモータ（パワーユニット）とを接続する高電圧系のケーブルの本数が、モータの巻線切替の分だけ多くなる。例えば、３相交流モータで巻線切替がない場合には３本のケーブルで済むところ、巻線切替を行う場合には、追加でスイッチング用の引き出し線が１相について２本必要となり、合計９本になる。
【０００６】
そこで、パワーユニットのモータユニット側の端部に、ケース内にモータの巻線切替を行う回路を収容するモータ巻線切替ユニットを結合するようにすれば、インバータとパワーユニットとを接続するケーブルの本数は、モータの巻線切替を行う場合であっても、３本で済む。
【０００７】
このようにパワーユニットのモータユニット側の端部にモータ巻線切替ユニットが設けられる場合、パワーユニットのモータユニット側のマウント支持は、通常、パワーユニットのモータユニット側の端部に位置するモータ巻線切替ユニットにて行われることになる。
【０００８】
しかし、モータ巻線切替ユニットのケースは、モータの巻線切替を行う回路を収容できればよいものであるので、モータユニットのハウジング等に比べて剛性はかなり低い。このため、パワーユニットのモータユニット側のマウント支持をモータ巻線切替ユニットの箇所で行うと、支持強度が低下するという問題が生じる。
【０００９】
本発明は、斯かる点に鑑みてなされたものであり、その目的とするところは、パワーユニットのモータユニット側の端部にモータ巻線切替ユニットを設けた場合に、パワーユニットのモータユニット側のマウント支持を高い強度で行えるようにすることにある。
【課題を解決するための手段】
【００１０】
上記の目的を達成するために、本発明では、車両前部の左右一対のサイドフレーム間に、巻線切替を行うことが可能なモータを含むモータユニットと該モータユニットのモータの駆動力を前輪へ伝達するための動力伝達機構を含むトランスアクスルとが車幅方向に並ぶように結合されてなるパワーユニットが配設され、該パワーユニットが少なくとも上記両サイドフレームにマウント支持される電動車両において、上記パワーユニットのモータユニット側を、上記両サイドフレームのうち上記モータユニットに近い側であるモータ近接サイドフレームにマウント支持するためのパワーユニット支持装置を対象として、上記モータユニットにおける上記モータ近接サイドフレーム側の端部に、上記モータのモータ軸を支持する軸受を内蔵する軸受ハウジングが結合され、上記軸受ハウジングにおける上記モータ近接サイドフレーム側の端部に、上記モータの巻線切替を行うモータ巻線切替ユニットが結合されており、上記パワーユニット支持装置は、上記軸受ハウジングの上部を上記モータ近接サイドフレームにマウント支持するように構成されている、という構成とした。
【００１１】
上記の構成により、軸受ハウジングは、モータのモータ軸を支持する軸受を支持する必要があることから剛性が高いものであるので、この軸受ハウジングの上部をマウント支持することで、パワーユニットのモータユニット側（モータ近接サイドフレーム側）のマウント支持を高い強度で行うことが可能になる。ここで、軸受ハウジングは、モータ巻線切替ユニットよりもモータ近接サイドフレームから遠い位置にあるために支持強度の観点からは不利になる。しかし、例えば、モータ巻線切替ユニットの車幅方向の長さを出来る限り短くして軸受ハウジングをモータ近接サイドフレームに出来る限り近付けたり、軸受ハウジングの上部とモータ巻線切替ユニットにおけるモータ近接サイドフレーム側の端部とに跨いで連結されるような丈夫な支持部材を介してマウント支持したりするようにすれば、軸受ハウジングがモータ近接サイドフレームから遠くなることによる支持強度の低下を抑制することができる。
【００１２】
上記電動車両のパワーユニット支持装置において、上記パワーユニット支持装置は、上記軸受ハウジングの上部と上記モータ巻線切替ユニットにおける上記モータ近接サイドフレーム側の端部とに跨いで連結された支持部材を介して、該軸受ハウジングの上部を該モータ近接サイドフレームにマウント支持するように構成されている、ことが好ましい。
【００１３】
また、この場合、上記パワーユニット支持装置は、上記モータ近接サイドフレームに連結された車体側マウントブラケットと、上記パワーユニットに連結されたパワーユニット側マウントブラケットと、上記両ブラケット間に配設されたマウント本体とを備え、上記パワーユニット側マウントブラケットは、上記マウント本体に連結された第１ブラケットと、上記モータ巻線切替ユニットの上側に配設され、上記第１ブラケットと上記軸受ハウジングの上部とを連結する、上記支持部材としての第２ブラケットとを有し、上記第２ブラケットは、上記モータ巻線切替ユニットにおける上記モータ近接サイドフレーム側の端面壁に連結されている、ことがより好ましい。
【００１４】
このことにより、軸受ハウジングがモータ近接サイドフレームから遠くなることによる支持強度の低下を確実に抑制して、パワーユニットのモータユニット側（モータ近接サイドフレーム側）のマウント支持を高い強度で行うことができるようになる。また、軸受ハウジングの上部とモータ巻線切替ユニットにおけるモータ近接サイドフレーム側の端部とに跨いで連結された支持部材により、荷重集中を抑制することができる。
【００１５】
上記車体側マウントブラケットは、上記マウント本体に連結される第３ブラケットと、該第３ブラケット及び上記モータ近接サイドフレームに連結される第４ブラケットとを有し、上記第４ブラケットは、上記モータ近接サイドフレームの上面及び下面に跨いで連結されている、ことがより好ましい。
【００１６】
こうすることで、パワーユニット支持装置の車体側における支持強度を高めることができる。また、モータ巻線切替ユニットのモータ近接サイドフレーム側の端とモータ近接サイドフレームとの間の距離に応じて、柔軟な対応が可能になる。
【００１７】
上記電動車両のパワーユニット支持装置において、上記前輪に連結される、上記トランスアクスルの出力軸が、上記パワーユニットの車両後側において車幅方向に延びるように設けられており、上記軸受ハウジングの車両後側部分に、上記出力軸を回転自在に支持する出力軸支持部が設けられている、ことが好ましい。
【００１８】
このことにより、剛性の高い軸受ハウジングを利用して、トランスアクスルの出力軸を高い強度で支持することができるようになる。
【発明の効果】
【００１９】
以上説明したように、本発明の電動車両のパワーユニット支持装置によると、パワーユニット支持装置が、軸受ハウジングの上部をモータ近接サイドフレームにマウント支持するように構成されていることにより、パワーユニットのモータユニット側（モータ近接サイドフレーム側）のマウント支持を高い強度で行うことができる。
【図面の簡単な説明】
【００２０】
【図１】本発明の実施形態に係るパワーユニット支持装置が設けられた電動車両の前部のモータルーム内におけるパワーユニットの構成を示す、車両左前側かつ上側から見た斜視図である。
【図２】上記電動車両のモータルーム内におけるパワーユニットの構成を示す、車両後側かつ上側から見た斜視図である。
【図３】モータユニットを、車幅方向に沿って切断して車両前側から見た断面図である。
【図４】シャフト支持ブラケット及びその周辺を示す、車両左後側から見た斜視図である。
【図５】右側マウント装置の構成を示す、車両右前側から見た斜視図である。
【図６】モータ巻線切替ユニットの車両右側の端部を示す、車両右前側から見た斜視図である。
【発明を実施するための形態】
【００２１】
以下、本発明の実施形態を図面に基づいて詳細に説明する。
【００２２】
図１及び図２は、本発明の実施形態に係るパワーユニット支持装置が設けられた電動車両（本実施形態では、電気自動車であり、以下、単に車両という）の前部のモータルーム内におけるパワーユニット７１の構成を示し、図１は、車両左前側かつ上側から見た図であり、図２は、車両後側かつ上側から見た図である。上記車両についての前、後、左、右、上及び下を、それぞれ単に前、後、左、右、上及び下という。また、図１、図５及び図６において、車両前側を矢印Ｆｒで示す。
【００２３】
上記モータルーム内の車幅方向両端部には、左右一対のフロントサイドフレーム８が前後方向に延びるように配設されている。これら左右のフロントサイドフレーム８間に、上記車両を駆動するパワーユニット７１が配設されている。上記各フロントサイドフレーム８におけるパワーユニット７１よりも後側部分には、サスペンションタワー５が取付固定されている。
【００２４】
上記各フロントサイドフレーム８の後部は、その高さ位置が後側に向かって徐々に低くなるキック部とされている。このキック部に対応する前後位置には、上記モータルームと車室とを仕切るダッシュパネル６が設けられている。このダッシュパネル６の上下方向中央部には、車幅方向に延びるレインフォースメント６ａが設けられており、このレインフォースメント６ａの両端部が左右のフロントサイドフレーム８にそれぞれ連結されている。
【００２５】
上記パワーユニット７１は、モータ６０（図３参照）を含むモータユニット７２と、該モータユニット７２のモータ６０の駆動力を前輪へ伝達するための動力伝達機構（減速機構及び差動機構）を含むトランスアクスル７３とが車幅方向に並ぶように一体に結合されてなるものである。パワーユニット７１の全体としての軸心は、車幅方向に延びている。本実施形態では、トランスアクスル７３がモータユニット７２の左側に位置する。
【００２６】
上記モータユニット７２は、軸心が車幅方向に延びる略円筒状のモータハウジング７２ａを有し、このモータハウジング７２ａ内に上記モータ６０が配設されている。このモータ６０は、図３に示すように、ロータ６１とステータ６２とを有している。このロータ６１は、モータ軸６１ａ（つまり駆動軸）の周囲に、永久磁石を保持するロータコア６１ｂが固定されてなり、モータ軸６１ａはモータハウジング７２ａと同軸上に位置して、車幅方向に延びている。一方、上記ステータ６２は、モータハウジング７２ａの内面に上記ロータコア６１ｂの周囲を覆うように配設されていて、コイルが巻かれている。
【００２７】
上記モータ６０は３相交流モータであり、Ｕ相、Ｖ相及びＷ相の３つのコイルが中性点に共通接続されている。そして、各相のコイルは、複数の巻線が直列に接続されてなり、各相のコイルにおいて電流を流す巻線の数を変えることが可能に構成されている。すなわち、上記モータは、巻線切替を行うことが可能なものであり、車両の走行状態に応じて、電流を流す最適な巻線の数が決定される。この巻線切替は、後述のモータ巻線切替ユニット７７によってなされる。
【００２８】
モータユニット７２の右側（トランスアクスル７３とは反対側）の端部には、軸受ユニット７４が一体に結合されている。この軸受ユニット７４は、モータハウジング７２ａに結合された略円筒状の軸受ハウジング７４ａと、この軸受ハウジング７４ａ内に配設され、上記モータ軸６１ａの右側端部を回転自在に支持する軸受６５とを有している（図３参照）。一方、上記モータ軸６１ａの左側端部（図３では、右側）は、モータハウジング７２ａの左側端部に設けられた軸受６６に回転自在に支持されている。このモータ６１ａ軸は、トランスアクスル７３（減速機構）の入力軸６９（図３に二点鎖線で示す）に連結される。この入力軸６９は、トランスアクスル７３における後述のアクスルハウジング７３ａの減速機構収容部７３ｂ内において車幅方向に延びている。
【００２９】
トランスアクスル７３は、アクスルハウジング７３ａを有し、このアクスルハウジング７３ａの右側端部と上記モータハウジング７２ａの左側端部とが複数のボルト７５により結合されて結合部７６とされている。この結合部７６は、その左右の部分よりも径が大きくなっている。
【００３０】
アクスルハウジング７３ａは、減速機構を収容する減速機構収容部７３ｂと、該減速機構からモータ６０の駆動力が伝達される差動機構を収容する差動機構収容部７３ｃとを有する。差動機構収容部７３ｃは、減速機構収容部７３ｂの後側に位置している。そして、差動機構収容部７３ｃの左右両側側面から、トランスアクスル７３（差動機構）の出力軸（パワーユニット７１の出力軸でもある）として、２本のジョイントシャフト８１が左右両側へそれぞれ延びている（図２参照）。すなわち、ジョイントシャフト８１は、パワーユニット７１の後側において車幅方向に延びている。左側のジョイントシャフト８１は、その中間部に配設された等速ジョイント８２によって内側部８１ａと外側部８１ｂとに２分割され、外側部８１ｂが等速ジョイント８４を介して、左側前輪に連結された左側のドライブシャフト８３に連結されている。また、同様に、右側のジョイントシャフト８１も、その中間部に配設された等速ジョイント８２によって内側部８１ａと外側部８１ｂとに２分割され、外側部８１ｂが等速ジョイント８４を介して、右側前輪に連結された右側のドライブシャフト８３に連結されている。
【００３１】
右側のジョイントシャフト８１の内側部８１ａにおける右側端部（等速ジョイント８２の近傍部）は、軸受ハウジング７４ａの後側下部に設けられたシャフト支持ブラケット７４ｂ（出力軸支持部）に回転自在に支持されている。このシャフト支持ブラケット７４ｂは、図４に示すように、３本のボルト７９によって、軸受ハウジング７４ａの後側下部に取付固定されている。本実施形態では、軸受ハウジング７４ａとは別部材のシャフト支持ブラケット７４ｂが、トランスアクスル７３の出力軸を回転自在に支持する出力軸支持部を構成しているが、この出力軸支持部としては、軸受ハウジング７４ａと一体形成されたものであってもよい。
【００３２】
上記軸受ユニット７４の右側（モータユニット７２とは反対側）の端部には、モータ巻線切替ユニット７７が一体に結合されている。本実施形態では、パワーユニット７１は、モータユニット７２及びトランスアクスル７３に加えて、軸受ユニット７４及びモータ巻線切替ユニット７７が車幅方向に並ぶように一体に結合されてなる。尚、モータユニット７２、軸受ユニット７４及びモータ巻線切替ユニット７７の全体を、広義のモータユニットと見做すことも可能である。
【００３３】
上記モータ巻線切替ユニット７７は、軸受ハウジング７４ａに結合された略円筒状の巻線切替ケース７７ａと、この巻線切替ケース７７ａ内に配設され、上記モータ６０の巻線切替を行うための回路とを有している。巻線切替ケース７７ａの右側端面には、該巻線切替ケース７７ａの右側開口を覆う閉塞部材７７ｂが、その周縁部にて不図示のボルトにより固定されている（特に図５及び図６参照）。この閉塞部材７７ｂは、モータ巻線切替ユニット７７の右側の端面壁を構成する。
【００３４】
パワーユニット７１の左右両端部は、左側及び右側マウント装置８８，８９を介して、左右のフロントサイドフレーム８にそれぞれマウント支持（弾性支持）されている。左側マウント装置８８は、トランスアクスル７３のアクスルハウジング７３ａ上部に固定されたパワーユニット側ブラケット９０と、左側のフロントサイドフレーム８に固定された車体側ブラケット９１と、これら両ブラケット９０，９１間に配設された、ゴムブッシュを含むマウント本体（図示せず）とを有している。
【００３５】
また、右側マウント装置８９は、図５に示すように、パワーユニット側ブラケット９３と、車体側ブラケット９４と、これら両ブラケット９３，９４間（詳しくは、後述の第１及び第３ブラケット９５，９８間）に配設された、ゴムブッシュを含むマウント本体（図示せず）とを有している。
【００３６】
上記パワーユニット側ブラケット９３は、上記マウント本体に連結された第１ブラケット９５と、第１ブラケット９５と締結部材９７（ボルト及びナット）を介して結合され、第１ブラケット９５と軸受ハウジング７４ａの上部において上側に突出した突出部７４ｃとを連結する第２ブラケット９６とからなる。この第２ブラケット９６は、車幅方向に延びてモータ巻線切替ユニット７７（巻線切替ケース７７ａ）の上側を跨ぐように配設され、該第２ブラケット９６の左側端部が、上記突出部７４ｃの右側側面に締結固定されている。第２ブラケット９６の右側端部は、第１ブラケット９５に連結されているとともに、取付補助部材７８を介して閉塞部材７７ｂの上端部に締結固定されている（図５及び図６参照）。すなわち、第２ブラケット９６は、軸受ハウジング７４ａの上部とモータ巻線切替ユニット７７における右側の端部（端面壁）とに跨いで連結された支持部材に相当し、右側マウント装置８９は、該支持部材を介して、軸受ハウジング７４ａの上部を右側のフロントサイドフレーム８にマウント支持することになる。
【００３７】
上記車体側ブラケット９４は、上記マウント本体に連結された第３ブラケット９８と、第３ブラケット９８と締結部材１００（ボルト及びナット）を介して結合されかつ右側のフロントサイドフレーム８に固定された第４ブラケット９９とからなる。
【００３８】
図５に示すように、上記第４ブラケット９９は、右側のフロントサイドフレーム８の左側において上下及び前後方向に延びる基部９９ａと、この基部９９ａの上端からフロントサイドフレーム８側（右側）に折れ曲がってなる上側固定部９９ｂと、基部９９ａの下側に位置しかつ基部９９ａの前後両端部（左側に折れ曲がっている）及び中央部と連結され、第３ブラケット９８を支持する支持部９９ｃと、この支持部９９ｃから右側のフロントサイドフレーム８側（右側）に延びる下側固定部９９ｄとを有している。尚、基部９９ａの前後両端部は、補強部材９９ｅ（図１参照）により上側固定部９９ｂと連結されている。
【００３９】
上記上側固定部９９ｂは右側のフロントサイドフレーム８の上面に締結固定され、上記下側固定部９９ｄは右側のフロントサイドフレーム８の下面に締結固定される。これにより、第４ブラケット９９は、右側のフロントサイドフレーム８の上面及び下面に跨いで連結されることになる。
【００４０】
上記第３ブラケット９８は、上記マウント本体の周囲を覆うように設けられ、その上部には、第４ブラケット９９の上側固定部９９ｂに締結固定される上側連結部９８ａが設けられ、第３ブラケット９８の下部には、第４ブラケット９９の支持部９９ｃに締結固定される２つの下側連結部９８ｂ（図１及び図５参照）が設けられている。
【００４１】
図２に示すように、アクスルハウジング７３ａの差動機構収容部７３ｃの右側下部には、トルクロッド１０１が後側に延びるように設けられている。このトルクロッド１０１の前端部は、ゴムブッシュ１０２を介して、車幅方向に延びる軸回りに回動可能にパワーユニット７１の車幅方向中央部（アクスルハウジング７３ａの差動機構収容部７３ｃの右側下部）に連結され、トルクロッド１０１の後端部は、ゴムブッシュ１０３を介して、車幅方向に延びる軸回りに回動可能に不図示のサスペンションクロスメンバの車幅方向中央部に連結されている。パワーユニット７１の車幅方向両端部における上記弾性支持により、パワーユニット７１全体が車幅方向に延びる軸回りに回動（揺動）することになるが、上記トルクロッド１０１は、パワーユニット７１全体が上記軸回りに回動し過ぎるのを規制する。尚、上記サスペンションクロスメンバは、車幅方向に延びかつ左右の前輪サスペンションアーム１７を支持するものであって、その左右両側端部は、左右のフロントサイドフレーム８にそれぞれ結合されている。
【００４２】
図１に二点鎖線で示すように、上記モータルーム内における上記パワーユニット７１の上側には、インバータ３１及び車載充電器３２が配設されている。また、車室フロアの下側には、モータユニット７２のモータ６０を駆動するための高電圧の主バッテリ（図示せず）が配設されている。この主バッテリは、複数のバッテリモジュールが、該バッテリモジュールを支持する支持部材と共にユニット化されたものである。
【００４３】
上記インバータ３１は、上記主バッテリからの直流電力を交流電力に変換してモータ６０に電力を供給するものである。このインバータ３１は、略矩形箱状のインバータケース３１ａと、該インバータケース３１ａ内に収容されたインバータ回路とを有していて、パワーユニット７１におけるモータユニット７２からモータ巻線切替ユニット７７にかけての部分の上側に位置している。
【００４４】
インバータ３１と上記主バッテリとは、２本の第１電力ケーブル３５（その一部を図４に示す）を介して接続され、インバータ３１と軸受ユニット７４とが、３本の第２電力ケーブル３６（その一部を図４に示す）を介して接続されている。すなわち、インバータ３１は、主バッテリから第１電力ケーブル３５を介して直流電力を入力して、その直流電力を交流電力に変換した後、その交流電力を第２電力ケーブル３６及びユニット（モータ巻線切替ユニット７７、軸受ユニット７４及びモータユニット７２）内に配設された不図示の配線を介して、モータユニット７２のモータ６０へ供給する。
【００４５】
上記第１電力ケーブル３５は、上記主バッテリの前端部における車幅方向中央部に設けられた接続端子（車両自体の車幅方向中央部に位置する）から、車両の車幅方向の略中央を通って前側に延びてモータルーム内に入り、ダッシュパネル６とパワーユニット７１（モータユニット７２）との間の空間にて上側に延び、インバータ３１と略同じ高さ位置で前側に曲がって、インバータケース３１ａの後面に接続される。
【００４６】
また、第２電力ケーブル３６は、ダッシュパネル６とパワーユニット７１（詳細には、軸受ユニット７４ないしモータ巻線切替ユニット７７）との間の空間にて、インバータケース３１ａの後面と軸受ハウジング７４ａの後面におけるケーブル接続部７４ｄ（図２及び図４参照）とを接続するべく、後側に凸状となるように湾曲して延びている。尚、第２電力ケーブル３６は、ケーブル接続部７４ｄからモータユニット７２のモータハウジング７２ａ内及びモータ巻線切替ユニット７７の巻線切替ケース７７ａ内に入り込む。
【００４７】
上記車載充電器３２は、上記車両の外部の電源（本実施形態では、１００Ｖ又は２００Ｖの家庭用電源）から電力を入力して上記主バッテリを充電するものである。この車載充電器３２は、インバータ３１と同様の略矩形箱状の充電器ケース３２ａと、該充電器ケース３２ａ内に収容された充電回路とを有していて、トランスアクスル７３の上側に位置している。車載充電器３２と上記主バッテリとが第３電力ケーブル（図示せず）を介して接続されている。また、車載充電器３２は、図示は省略するが、上記車両の左側又は右側の側面を構成する部材（例えばフェンダ）に設けられた充電レセプタクルと接続されている。この充電レセプタクルは、一端部が家庭用電源に接続されるコードの他端部が接続されるものである。そして、車載充電器３２は、家庭用電源からの電力を、その電圧が主バッテリの充電に適した電圧になるように昇圧した状態で、上記第３電力ケーブルを介して上記主バッテリに供給する。
【００４８】
本実施形態では、上記右側マウント装置８９が、本発明のパワーユニット支持装置に相当し、右側のフロントサイドフレーム８が、左右一対のフロントサイドフレーム８のうちモータユニット７２に近い側であるモータ近接サイドフレームに相当する。
【００４９】
上記右側マウント装置８９は、第１ブラケット９５と、軸受ハウジング７４ａの上部（突出部７４ｃ）とモータ巻線切替ユニット７７の閉塞部材７７ｂ（モータ巻線切替ユニット７７のモータ近接サイドフレーム側の端面壁）とに跨いで連結された第２ブラケット９６とを介して、軸受ハウジング７４ａの上部を右側のフロントサイドフレーム８（モータ近接サイドフレーム）にマウント支持するので、モータ巻線切替ユニット７７を右側のフロントサイドフレーム８にマウント支持する場合に比べて、パワーユニット７１のモータユニット７２側のマウント支持を高い強度で行うことが可能になる。すなわち、モータ巻線切替ユニット７７の巻線切替ケース７７ａは、モータ６０の巻線切替を行う回路を収容できればよいものであるので、剛性が低いものであるのに対し、軸受ハウジング７４ａ及びモータハウジング７２ａは、モータ６０のモータ軸６１ａを支持する軸受６５，６６を支持する必要があることから剛性が高いものであるので、軸受ハウジング７４ａをマウント支持することで、パワーユニット７１のモータユニット７２側のマウント支持を高い強度で行うことができる。
【００５０】
本発明は、上記実施形態に限られるものではなく、請求の範囲の主旨を逸脱しない範囲で代用が可能である。
【００５１】
例えば、上記実施形態では、右側マウント装置８９のパワーユニット側マウントブラケット９３を、第１ブラケット９５と第２ブラケット９６とで構成したが、軸受ハウジングの上部に取付固定される１つのブラケットで構成してもよい。この１つのブラケットを、第２ブラケット９６と同様に、閉塞部材７７ｂにも取付固定するようにすることが好ましいが、閉塞部材７７ｂへの取付固定は必須ではない。また、車体側マウントブラケット９４も、パワーユニット側マウントブラケット９３と同様に、１つのブラケットで構成してもよい。
【００５２】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００５３】
本発明は、電動車両において、巻線切替を行うことが可能なモータを含むモータユニットとトランスアクスルとが車幅方向に並ぶように結合されてなるパワーユニットのモータユニット側を、左右一対のサイドフレームのうち上記モータユニットに近い側であるモータ近接サイドフレームにマウント支持するためのパワーユニット支持装置に有用であり、特にパワーユニットのモータユニット側の端部に、上記モータの巻線切替を行うモータ巻線切替ユニットを設ける場合に有用である。
【符号の説明】
【００５４】
８      フロントサイドフレーム
６０    モータ
６５    軸受
７１    パワーユニット
７２    モータユニット
７３    トランスアクスル
７４ａ  軸受ハウジング
７４ｂ  シャフト支持ブラケット（出力軸支持部）
７７    巻線切替ユニット
８１    ジョイントシャフト（トランスアクスルの出力軸）
８９    右側マウント装置（パワーユニット支持装置）
９３    パワーユニット側マウントブラケット
９４    車体側マウントブラケット
９５    第１ブラケット
９６    第２ブラケット（支持部材）
９８    第３ブラケット
９９    第４ブラケット
【図１】
0005488409.tif 000002
【図２】
0005488409.tif 000003
【図３】
0005488409.tif 000004
【図４】
0005488409.tif 000005
【図５】
0005488409.tif 000006
【図６】
0005488409.tif 000007